(57)【要約】      （修正有）【課題】着用者がヘルメットのような鍔付き帽を被った状態で着脱自在に装着することができ、透明板を鍔付き帽の着用者の顔面と近い距離で保持することができるフェイスシールドを提供する。【解決手段】着用者の頭を収容する頭収容部と頭収容部から略水平方向に突出する鍔部とを有する鍔付き帽に着脱自在に装着されるフェイスシールド１００であって、鍔付き帽の頭収容部に巻き付けられる装着ベルト１１０と、装着ベルトの外周面に取り付けられて鍔付き帽の鍔部を取り囲むガイドベルト１２０と、ガイドベルトに沿って取り付けられて鍔付き帽の着用者の顔面と対向する透明板１３０と、を備え、ガイドベルトの下端面が、装着ベルトの下端面１１１よりも下方に位置していることを特徴とする。【選択図】図２
0003230180.tif 000002
【実用新案登録請求の範囲】
【請求項１】
着用者の頭を収容する頭収容部と該頭収容部から略水平方向に突出する鍔部とを有する鍔付き帽に着脱自在に装着されるフェイスシールドであって、
前記鍔付き帽の頭収容部に巻き付けられる装着ベルトと、
前記装着ベルトの外周面に取り付けられて前記鍔付き帽の鍔部を取り囲むガイドベルトと、
前記ガイドベルトに沿って取り付けられて前記鍔付き帽の着用者の顔面と対向する透明板と、
を備え、
前記ガイドベルトの下端面が、前記装着ベルトの下端面よりも下方に位置していることを特徴とするフェイスシールド。
【請求項２】
前記ガイドベルトが、前記装着ベルトに対して上下方向に回動自在であり、
前記装着ベルトに対する前記ガイドベルトの回動範囲を規定するストッパ片が、前記装着ベルトに取り付けられており、
前記ガイドベルトが下限位置にある場合に、前記ガイドベルトの下端面が前記装着ベルトの下端面よりも下方に位置していることを特徴とする請求項１に記載のフェイスシールド。
【請求項３】
前記装着ベルトの長さが、調整自在であることを特徴とする請求項１または請求項２に記載のフェイスシールド。
【考案の詳細な説明】
【技術分野】
【０００１】
本考案は、着用者の顔面を透明板で覆うフェイスシールドに関し、特に、着用者の頭を収容する頭収容部とこの頭収容部から水平方向に突出する鍔部とを有する鍔付き帽に装着するフェイスシールドに関するものである。
【背景技術】
【０００２】
従来、様々なものから目や顔を保護するための手段として、着用者の顔面を透明板で覆うフェイスシールドが知られており、近年は感染防止対策としても重要性を増している。
このようなフェイスシールドとして、例えば、着用者の頭部に巻き付ける内側ベルトと、この内側ベルトの外側と一体化されてフィルム等の透明板が取り付けられた外側ベルトとを有するフェイスシールドが知られている（例えば、非特許文献１参照）。
【先行技術文献】
【非特許文献】
【０００３】
【非特許文献１】http://www.24med365.net/news/200416_news_COVID-19_FaceShield_3D_Printer.html
【考案の概要】
【考案が解決しようとする課題】
【０００４】
このようなフェイスシールドは、着用者の頭部に直接内側ベルトを巻き付けて使用することが想定されているが、工事現場や建設現場で働く作業員などにとっては、ヘルメットの上からフェイスシールドを装着したいというニーズがある。
しかし、上記のフェイスシールドをヘルメットに直接装着する場合、外側ベルトに取り付けられた透明板の上部がヘルメットの鍔部の先端に接することで、透明板の下部が着用者の顔面から離れ、フェイスシールドによる唾液の飛散防止効果が薄れてしまう虞れがあった。
【０００５】
また、通常のヘルメットは着用者の後頭部を保護するために頭収容部の後方が着用者の首方向に向けて長めに設計されていることから、内側ベルトをヘルメットに巻き付けて装着すると、内側ベルトがヘルメット前方に向けて上方に傾いてしまうことがある。
その結果、外側ベルトも同じ角度で上方に傾き、外側ベルトに取り付けられた透明板の下部が着用者の顔面から離れ、フェイスシールドによる唾液の飛散防止効果が薄れてしまう虞れもあった。
【０００６】
そこで、本考案は、前述したような従来技術の問題を解決するものであって、すなわち、本考案の目的は、着用者がヘルメットのような鍔付き帽を被った状態で着脱自在に装着することができ、透明板を鍔付き帽の着用者の顔面と近い距離で保持することができるフェイスシールドを提供することである。
【課題を解決するための手段】
【０００７】
請求項１に係る考案は、着用者の頭を収容する頭収容部と頭収容部から略水平方向に突出する鍔部とを有する鍔付き帽に着脱自在に装着されるフェイスシールドであって、鍔付き帽の頭収容部に巻き付けられて前記鍔付き帽の鍔部を取り囲む装着ベルトと、装着ベルトの外周面に取り付けられるガイドベルトと、ガイドベルトに沿って取り付けられて鍔付き帽の着用者の顔面と対向する透明板と、を備え、前記ガイドベルトの下端面が、前記装着ベルトの下端面よりも下方に位置していることにより、前述した課題を解決するものである。
【０００８】
請求項２に係る考案は、ガイドベルトが、装着ベルトに対して上下方向に回動自在であり、装着ベルトに対するガイドベルトの回動範囲を規定するストッパ片が、装着ベルトに取り付けられており、前記ガイドベルトが下限位置にある場合に、前記ガイドベルトの下端面が前記装着ベルトの下端面よりも下方に位置していることにより、前述した課題をさらに解決するものである。
【０００９】
請求項３に係る考案は、装着ベルトの長さが、調整自在であることにより、前述した課題をさらに解決するものである。
【考案の効果】
【００１０】
請求項１に係る考案のフェイスシールドによれば、ガイドベルトの下端面が装着ベルトの下端面よりも下方に位置していることにより、装着ベルトを鍔付き帽の頭収容部の周囲に巻き付けてフェイスシールドを鍔付き帽に装着した時に、装着ベルトが鍔部に向かって上向きに傾いていたとしても、ガイドベルトが装着ベルトに対して下方向に所定の角度で傾いているため、ガイドベルトに取り付けられた透明板を鍔付き帽の鍔部に対して略垂直に保ち、透明板と鍔付き帽の着用者の顔面との距離を近い距離で保持することができる。
【００１１】
請求項２に係る考案のフェイスシールドによれば、装着ベルトに対するガイドベルトの回動範囲を規定するストッパ片が、装着ベルトに取り付けられていることにより、フェイスシールドを鍔付き帽に装着した時に、ガイドベルトが装着ベルトに対して所定の角度以上に回動しないため、ガイドベルトに取り付けられた透明板が着用者の顔面に近づく方向に回動し過ぎることで着用者の顔面に接触することを防ぐとともに、透明板が略垂直に鍔付き帽の着用者の顔面の前に下りる状態、すなわち、フェイスシールドが最も効果を発揮できる状態を維持することができる。
【００１２】
請求項３に係る考案のフェイスシールドによれば、装着ベルトの長さが、調整自在であることにより、装着ベルトの長さを鍔付き帽の頭収容部の大きさに合わせることが可能となるため、どのような大きさの鍔付き帽に対しても安定してフェイスシールドを取り付けることができる。
【図面の簡単な説明】
【００１３】
【図１】本考案の実施例であるフェイスシールドを装着したヘルメットを被った着用者の斜視図。
【図２】本考案の実施例であるフェイスシールドの斜視図。
【図３】本考案の実施例であるフェイスシールドの側面図。
【図４Ａ】本考案の実施例であるフェイスシールドのガイドベルトを回動した状態の側面拡大図。
【図４Ｂ】本考案の実施例であるフェイスシールドのガイドベルトを回動した状態の側面拡大図。
【図５Ａ】本考案の実施例であるフェイスシールドをヘルメットに装着する手順の説明図。
【図５Ｂ】本考案の実施例であるフェイスシールドにヘルメットに装着した状態の平面図。
【考案を実施するための形態】
【００１４】
本考案は、着用者の頭を収容する頭収容部と頭収容部から略水平方向に突出する鍔部とを有する鍔付き帽に着脱自在なフェイスシールドであって、鍔付き帽の頭収容部に巻き付けられる装着ベルトと、装着ベルトの外周面に取り付けられるガイドベルトと、ガイドベルトに沿って取り付けられて鍔付き帽の着用者の顔面と対向する透明板と、を備え、前記ガイドベルトの下端面が、前記装着ベルトの下端面よりも下方に位置しており、着用者がヘルメットのような鍔付き帽を被った状態で着脱自在に取り付けることができ、透明板を鍔付き帽の着用者の顔面と近い距離で保持することができるものであれば、その具体的な実施態様は、如何なるものであっても構わない。
【００１５】
例えば、本発明のフェイスシールドが装着される鍔付き帽は、工事現場や建設現場で働く作業員などによって一般的に使用される硬質樹脂製のヘルメットであってもよいし、野球帽のような軟質素材製の帽子であってもよい。
【実施例】
【００１６】
以下、図１乃至図５Ｂに基づいて、本考案の実施例であるフェイスシールド１００を説明する。
【００１７】
＜１．ヘルメットの構造＞
まず、図１に基づいて、本考案の実施例であるフェイスシールド１００を装着するヘルメット（鍔付き帽）について説明する。
図１は、本考案の実施例であるフェイスシールドを装着したヘルメットを被った着用者の斜視図である。
【００１８】
フェイスシールド１００を装着するヘルメットＨは、工事現場や建設現場で働く作業員によって一般的に使用されるものであり、図１に示すように、着用者の頭を収容する椀型で丸みを帯びた頭収容部Ｈｈと、この頭収容部Ｈｈから水平方向に突出する平面視で三日月状の鍔部Ｈｂとからなる。
また、頭収容部Ｈｈの後方は、着用者の後頭部を保護するために側方に比べて下方（着用者の首方向）に向けて長くなっている。
【００１９】
＜２．フェイスシールドの構造＞
次に、図２乃至図４Ｂに基づいて、フェイスシールド１００の構造を説明する。
図２は、本考案の実施例であるフェイスシールドの斜視図であり、図３は、本考案の実施例であるフェイスシールドの側面図であり、図４Ａおよび図４Ｂは、本考案の実施例であるフェイスシールドのガイドベルトを回動した状態の側面拡大図である。
【００２０】
フェイスシールド１００は、ヘルメットＨの頭収容部Ｈｈに巻き付けられる装着ベルト１１０と、この装着ベルト１１０の外周面に取り付けられ、ヘルメットＨの鍔部Ｈｂを取り囲む長さのガイドベルト１２０と、このガイドベルト１２０の側面に取り付けられ、ヘルメットＨの着用者の顔面と対向する透明板１３０とを備えている。
さらにフェイスシールド１００は、装着ベルト１１０とガイドベルト１２０とを回動自在に接続するリベット１４０と、装着ベルト１１０に取り付けられ、装着ベルト１１０に対するガイドベルト１２０の回動範囲を規定するストッパ片１５０とを備えている。
【００２１】
＜２．１．装着ベルト＞
装着ベルト１１０は、ヘルメットＨの頭収容部Ｈｈの周囲を囲繞する帯状ベルトであり、図２に示すように、硬質の塩化ビニル製の前方ベルト１１１と、この前方ベルト１１１の一端に接続される帯状の第１後方ベルト１１２と、前方ベルト１１１の他端に接続される帯状の第２後方ベルト１１３と、第１後方ベルト１１２と第２後方ベルト１１３とを着脱自在に接続する面ファスナー１１４とから構成されている。
【００２２】
前方ベルト１１１は、図３に示すように、上端よりも下端の方が前方に突出している。
すなわち、前方ベルト１１１は、前方に向かって傾斜している。
したがって、下方に向かって直径が大きくなっているヘルメットＨの頭収容部Ｈｈと密着しやすくなるため、安定してフェイスシールド１００を装着することができる。
【００２３】
面ファスナー１１４は、第１後方ベルト１１２の外側の面に取り付けられた帯状のループ部材１１４ａと、第２後方ベルト１１３の内側の面に取り付けられたフック部材１１４ｂとから構成されている。
ループ部材１１４ａの長手方向は、第１後方ベルト１１２の長手方向と一致している。
フック部材１１４ｂの長手方向は、第２後方ベルト１１３の長手方向と一致している。
【００２４】
＜２．２．ガイドベルト＞
ガイドベルト１２０は、硬質の塩化ビニル製の帯状ベルトであり、その両端がリベット１４０によって前方ベルト１１１の両端付近の外周面に取り付けられている。
また、ガイドベルト１２０は、図３に示すように、水平方向に伸びる両端の水平部分１２１と、この水平部分１２１と連結して下り傾斜となっている傾斜部分１２２とを有している。
したがって、ガイドベルト１２０がストッパ片１５０に当接しているとき、ガイドベルト１２０の傾斜部分１２２の下端面１２２ｂは、前方ベルト１１１の下端面１１１ａよりも下方に位置している。
また、このとき、ガイドベルト１２０の側面は、図３に示すように、装着ベルト１１０の側面と平行に対向せず、異なる方向を向いて対向している。
【００２５】
水平部分１２１のストッパ片１５０側の上端領域１２１ａは、図３に示すように、不図示のリベット挿入孔を中心として丸みを帯びた形状にカットされている。
これにより、ガイドベルト１２０のストッパ片１５０側の上端領域１２１がストッパ片１５０に接触しにくくなり、ガイドベルト１２０がストッパ片１５０に対してスムーズに摺動することができる。
【００２６】
また、ガイドベルト１２０は、図４Ａおよび図４Ｂに示すように、リベット１４０を中心として前方ベルト１１１に対して上下方向に回動自在になっている。
したがって、ガイドベルト１２０に取り付けられた透明板１３０を着用者の顔面付近から上方に移動させることができるため、着用者がわざわざヘルメットＨやフェイスシールド１００を着脱せずとも、顔面の前の空間を確保することができる。
【００２７】
さらに、リベット１４０内部の摺動抵抗により前方ベルト１１１に対するガイドベルト１２０の角度が保持されるため、前方ベルト１１１に対するガイドベルト１２０の位置を任意の角度で保持することができる。
したがって、着用者が回動操作後に手を放して、図４Ｂのような状態になったとしても、ガイドベルト１２０が重力によって下方向に動くことなく、ガイドベルト１２０の前方ベルト１１１に対する位置は保持される。
【００２８】
＜２．３．透明板＞
透明板１３０は、ガイドベルト１２０の内側の側面に取り付けられる透明の板状の部材である。
透明板１３０は、着用者の顔面周囲を覆うために必要な可撓性を有しており、下端隅は丸みを帯びた形状になっている。
【００２９】
＜２．４．ストッパ片＞
ストッパ片１５０は、前方ベルト１１１の両端の外周面に取り付けられている。
ストッパ片１５０は、前方ベルト１１１およびガイドベルト１２０と同様に硬質の塩化ビニル製であり、その形状は、縦の長さが前方ベルト１１１およびガイドベルト１２０の幅と同一の四角形である。
【００３０】
ストッパ片１５０は、ガイドベルト１２０の回動範囲を図３から図４Ｂまでの約９０度の範囲に規定している。
図３に示す状態では、ガイドベルト１２０の右端面１２１ｂ（図４Ｂ参照）が、ストッパ片１５０の左端面１５１（図４Ａ参照）に当接しており、図３の状態よりもガイドベルト１２０が下方向に回動することがない。
すなわち、ガイドベルト１２０の右端面１２１ｂが、ストッパ片１５０の左端面１５１に当接する状態が、ガイドベルト１２０の下限位置となる。
【００３１】
また、図４Ｂに示す状態においても、ガイドベルト１２０の上端面１２１ｃ（図４Ａ参照）が、ストッパ片１５０の左端面１５１に当接しており、図４Ｂの状態よりもガイドベルト１２０が上方向に回動することがない。
すなわち、ガイドベルト１２０の上端面１２１ｃが、ストッパ片１５０の左端面１５１に当接する状態が、ガイドベルト１２０の上限位置となる。
【００３２】
＜３．ヘルメットにフェイスシールドを装着する手順＞
次に、図５Ａおよび図５Ｂに基づいて、本考案の実施例であるフェイスシールド１００をヘルメットＨに装着する手順を説明する。
図５Ａは、本考案の実施例であるフェイスシールドをヘルメットに装着する手順の説明図であり、図５Ｂは、本考案の実施例であるフェイスシールドにヘルメットに装着した状態の平面図である。
【００３３】
まず、図５Ａに示すように、ガイドベルト１２０がヘルメットＨの鍔部Ｈｂ側に位置するように、前方ベルト１１１をヘルメットＨの頭収容部Ｈｈの前方（図５Ａにおける下方）から頭収容部Ｈｈに押し当てる。
そして、第１後方ベルト１１２を、ヘルメットＨの頭収容部Ｈｈの後方（図５Ａにおける上方）にかけて巻き付ける。
【００３４】
次に、図５Ｂに示すように、第２後方ベルト１１３を、第１後方ベルト１１２に押し当てる。
その結果、第１後方ベルト１１２に設けられたループ部材１１４ａと第２後方ベルト１１３に設けられたフック部材１１４ｂとが接合して、フェイスシールド１１０がヘルメットＨに固定される。
【００３５】
＜４．本実施例の効果＞
本実施例のフェイスシールド１００によれば、ガイドベルト１２０が鍔付き帽Ｈの鍔部Ｈｂの周囲を覆う長さを有することにより、ガイドベルト１２０に取り付けられた透明板１３０が、鍔付き帽Ｈの鍔部Ｈｂの先端に接することなく、略垂直に鍔付き帽Ｈの着用者の顔面の前に下りるため、透明板１３０を、鍔付き帽Ｈの着用者の顔面と近い距離で保持することができる。
さらに、ガイドベルト１２０が装着ベルト１１０に対して下方向に所定の角度をなすように装着ベルト１１０に取り付けられていることにより、装着ベルト１１０を鍔付き帽Ｈの頭収容部Ｈｈの周囲に巻き付けてフェイスシールド１００を鍔付き帽Ｈに装着した時に、装着ベルト１１０が鍔部Ｈｂに向かって上向きに傾いていたとしても、ガイドベルト１２０が下向きに傾いているため、ガイドベルト１２０に取り付けられた透明板１３０を鍔付き帽Ｈの鍔部Ｈｂに対して略垂直に保ち、透明板１３０と鍔付き帽Ｈの着用者の顔面との距離を近い距離で保持することができる。
【００３６】
また、装着ベルト１１０に対するガイドベルト１２０の回動範囲を規定するストッパ片１５０が、装着ベルト１１０に取り付けられていることにより、フェイスシールド１００を鍔付き帽Ｈに装着した時に、ガイドベルト１２０が装着ベルト１１０に対して所定の角度以上に回動しないため、ガイドベルト１２０に取り付けられた透明板１３０が着用者の顔面に近づく方向に回動し過ぎることで着用者の顔面に接触することを防ぐとともに、透明板１３０が略垂直に鍔付き帽Ｈの着用者の顔面の前に下りる状態、すなわち、フェイスシールド１００が最も効果を発揮できる状態を維持することができる。
【００３７】
また、装着ベルト１１０の長さが、調整自在であることにより、装着ベルト１１０の長さを鍔付き帽Ｈの頭収容部Ｈｈの大きさに合わせることが可能となるため、どのような大きさの鍔付き帽Ｈに対しても安定してフェイスシールド１００を取り付けることができる。
【００３８】
＜５．変形例＞
以上、本考案のフェイスシールドを具体的に説明したが、本考案のフェイスシールドは、上記に限定されるものではなく、その趣旨を逸脱しない範囲でその具体的な形態の変形が可能である。
【００３９】
例えば、本実施例において、第１後方ベルト１１２および第２後方ベルト１１３の材質は特に特定していなかったが、第１後方ベルトおよび第２後方ベルトの材質はゴムや化学繊維等の軟質素材製であってもよいし、前方ベルト１１１やガイドベルト１２０と同様に硬質の塩化ビニル製であってもよい。
【００４０】
例えば、本実施例において、透明板１３０は、ガイドベルト１２０の内側の側面に取り付けられているが、これに限定されるものではなく、ガイドベルト１２０の外側の側面に取り付けられてもよい。
【００４１】
例えば、本実施例において、ガイドベルト１２０は、リベット１４０を中心として前方ベルト１１１に対して上下方向に回動自在であり、ストッパ片１５０によって回動範囲が規定されているが、このような回動機構および回動範囲規定機構を備えない簡易なフェイスシールドであってもよい。
具体的には、ガイドベルト１２０が、前方ベルト１１１に対して下方向に所定の角度をなすように前方ベルト１１１に縫い付けられることで、完全に固定されていてもよい。
【００４２】
例えば、本実施例において、第１後方ベルト１１２にループ部材１１４ａ、第２後方ベルト１１３にフック部材１１４ｂが備えられていたが、第１後方ベルト１１２にフック部材、第２後方ベルトにループ部材が備えられていてもよい。
【００４３】
例えば、本実施例において、装着ベルト１１０は、面ファスナー１１４のループ部材１１４ａおよびフック部材１１４ｂによって長さ調整自在であるが、これに限定されるものではなく、第１後方ベルト１１２または第２後方ベルト１１３の一方の端部に複数の孔を設けて、ピン式美錠やバックル式美錠などにより固定して長さ調整自在にしてもよい。
【符号の説明】
【００４４】
１００          ・・・  フェイスシールド
１１０          ・・・  装着ベルト
１１１          ・・・  前方ベルト
１１１ａ        ・・・  下端面
１１２          ・・・  第１後方ベルト
１１３          ・・・  第２後方ベルト
１１４          ・・・  面ファスナー
１１４ａ        ・・・  ループ部材
１１４ｂ        ・・・  フック部材
１２０          ・・・  ガイドベルト
１２１          ・・・  水平部分
１２１ａ        ・・・  上端領域
１２１ｂ        ・・・  右端面
１２１ｃ        ・・・  上端面
１２２          ・・・  傾斜部分
１２２ｂ        ・・・  下端面
１３０          ・・・  透明板
１４０          ・・・  リベット
１５０          ・・・  ストッパ片
１５１          ・・・  左端面
Ｈ              ・・・  ヘルメット
Ｈｈ            ・・・  頭収容部
Ｈｂ            ・・・  鍔部
【図１】
0003230180.tif 000003
【図２】
0003230180.tif 000004
【図３】
0003230180.tif 000005
【図４Ａ】
0003230180.tif 000006
【図４Ｂ】
0003230180.tif 000007
【図５Ａ】
0003230180.tif 000008
【図５Ｂ】
0003230180.tif 000009